(57)【要約】      （修正有）【課題】ストーマの周囲に適合するシールを提供する【解決手段】単体で、柔軟性があり、分割リング状の本体３を有する接着材でできたシール１で、ストーマの周囲面に取り付ける第一面５と、オストミー器具に取り付ける第二面、第一面から第二面に延びてストーマを受ける開口部を画定する外壁面１１と内壁面１３を具える壁９と、外壁面から内壁面に延びる開口を画定するのにスペースをあけて配置された第一端部１５と第二端部１７から構成されているストーマの周囲に適合するシールであって、単一材の楕円形であり、分割リング状のシールが、ストーマの周囲に適合するようにシールを操作可能とする。【選択図】図２
2015150434.tif 000002
【特許請求の範囲】
【請求項１】
単体で、柔軟性があり、粘着材でできた、分割リング状の本体を具えるストーマの周囲に適合するシールにおいて、
ストーマ周囲面に取り付ける第一面と、
オストミー器具に取り付ける第二面と、
前記第一面から第二面に延びており、前記ストーマを受ける開口を画定する外壁面と内壁面を具える壁と、
前記外壁面から内壁面に延びる開口を画定するスペースをあけて配置した第一端部と第二端部と、を具え、
前記シールの単一材の楕円形であり、分割リング形状とすることにより、前記シールが、ストーマの周囲に適合するように操作可能であることを特徴とするストーマの周囲に適合するシール。
【請求項２】
前記外壁面が、ほぼ楕円形であることを特徴とする請求項１に記載のシール。
【請求項３】
前記外壁面が、ほぼ円形であることを特徴とする請求項１に記載のシール。
【請求項４】
前記内壁面が、ほぼ楕円開口部であることを特徴とする請求項１乃至請求項３に記載のシール。
【請求項５】
前記内壁面が、ほぼ円形開口部であることを特徴とする請求項１乃至請求項３に記載のシール。
【請求項６】
前記ストーマの周囲に適合するよう前記シールが伸縮自在であることを特徴とする請求項１乃至請求項５に記載のシール。
【請求項７】
ストーマとほぼ一致するように成形可能であり、ストーマ周囲面にほぼ一致するように成形可能であることを特徴とする請求項１乃至請求項６に記載のシール。
【請求項８】
柔軟性があり、粘着性のハイドロコロイド材で構成されていることを特徴とする請求項１乃至請求項７に記載のシール。
【請求項９】
前記第一端部と第二端部が、角が丸い平坦な端壁を具えることを特徴とする請求項１乃至請求項８に記載のシール。
【請求項１０】
前記第一端部と第二端部が、ほぼ丸端壁で構成されていることを特徴とする請求項１乃至請求項８に記載のシール。
【請求項１１】
前記第一端部と第二端部が、ほぼ平面端壁で構成されていることを特徴とする請求項１乃至請求項８に記載のシール。
【請求項１２】
使用に際して、前記第一端部と第二端部が重なり合うあるいは隣接しており、前記ストーマの周囲にシールを形成することを特徴とする請求項１乃至請求項１１に記載のシール。
【請求項１３】
前記第一端部及び／または第二端部が引き裂くことができて、過剰なシールを除去できることを特徴とする請求項１乃至請求項１２に記載のシール。
【請求項１４】
前記第一面と第二面が、ほぼ平坦であることを特徴とする請求項１乃至請求項１３に記載のシール。
【請求項１５】
前記第一面と第二面が、ストーマ周囲面に適合するように成形されていることを特徴とする請求項１乃至請求項１３に記載のシール。
【請求項１６】
前記壁が、前記第一面と第二面に対して傾斜することを特徴とする請求項１乃至請求項１５に記載のシール。
【発明の詳細な説明】
【技術分野】
【０００１】
本発明は、例えば、結腸のストーマといったストーマに使用するシールに関するものであり、ストーマの周囲の皮膚とストーマからの排泄物との間にバリアを提供する。
【０００２】
いくつかの医学上の理由により、人に人工ストーマ、すなわち身体に人工的な開口部を設ける必要がある。よく知られている人工ストーマのひとつは、結腸瘻造設術であり、大腸に外科的に開口を作る。これは、結腸を二分して腹壁の切開を通して結腸の端部を引き寄せて形成する。腹壁は結腸の隆起端に縫合されて、腹壁を通して結腸の人工ストーマが形成される。通常、パウチなどのオストミー器具をストーマの周囲のボディシーリングに取り付けてストーマを介して結腸からの排泄物を集める。
【０００３】
ストーマに共通する問題は、例えば、ストーマからの排泄物が皮膚と接触することによるストーマ周囲の皮膚の炎症である。これは、ストーマの周囲にシールを設けることにより軽減できる。シールはストーマの周囲に配置して、皮膚を覆い、また皮膚とストーマの排泄物との間にバリアを提供する。次いで、パウチをシールに接着させる。既知のシールは、輪状あるいは、材料片で構成されており、ストーマの周囲に配置できる。
【０００４】
ストーマの形状、サイズ、及び体表面に対するストーマの位置は、人によって異なる。ストーマを取り囲む皮膚の表面も様々であり、例えばざらざらしたあるいはきめの細かい肌でもよく、ひだや皺があってもなくてもよい。このような多様性により既知のストーマ周囲のシールの適合が不十分なものとなり、ストーマからの排泄物とストーマ周囲の皮膚との間のバリアが不十分になる。
【０００５】
本発明は、ストーマ周囲の適合を改善し、ストーマ排泄物とストーマ周囲の皮膚との間のバリアを改善しようとするものである。ストーマからの漏出物によって生じる個人的かつ医学的な問題のため、この分野を大きく改善することは、ストーマ患者の生活の質に非常に重要である。
【発明の概要】
【０００６】
本発明によれば、単体で、柔軟性があり、粘着性のある物質でできたストーマ周囲に適合されるシールであって、分割リング状の本体を有するストーマが提供されており、これは、
ストーマ周囲面に貼り付ける第一面と、
オストミー器具に貼り付ける第二面と、
第一面から第二面に延びており、ストーマを受ける開口を画定する外壁面及び内壁面を提供する壁と、
外壁面から内壁面に延びる開口を画定する、スペースをあけた配置された第一端部と第二端部と、
を具え、
シールの単一材でできた楕円形の、分割リング状によって、シールを操作してストーマの周囲に適合させるようにしている。
【０００７】
単体で、可撓性材料のシールを提供することで、様々なサイズ及び形状のストーマ周囲のシール適合を改善することが容易になることがわかっている。ストーマ周囲の皮膚とストーマからの排泄物との間の改善されたバリアが達成され、オストミー患者に医学的、個人的利益提供する。
【０００８】
外壁面は、ほぼ楕円形を形成してもよい。外壁面は、ほぼ円形を形成してもよい。
【０００９】
内壁面は、ほぼ楕円形の開口部を形成してもよい。内壁面は、ほぼ円形の開口部を形成してもよい。
【００１０】
シールが、ストーマの周囲に適合するように伸縮自在であってもよい。シールを成形可能として、ストーマとほぼ一致させてもよい。シール本体を成形可能として、ストーマ周囲面とほぼ一致するようにしてもよい。
【００１１】
シールは、適切な柔軟性と、粘着性がある皮膚保護材を具えていてもよい。シールは、柔軟性と、粘着性があるハイドロコロイド材を具えていてもよい。
【００１２】
シールの第一面と第二面に、それぞれ剥離ライナーなどの保護カバーを具えていてもよい。
【００１３】
第一端部と第二端部が、角が丸まった端部が平坦な壁を具えていてもよい。第一端部と第二端部が、端部が丸い壁を具えていてもよい。第一端部と第二端部が、端部が平坦な壁を具えていてもよい。端壁は、ほぼ平行であってもよい。第一端部と第二端部は、使用に際して、重なり合い、又は隣接して、ストーマの周囲にシールを形成するようにしてもよい。第一端部と第二端部は、使用に際して、ストーマから排泄物が存在する可能性が最も高いストーマ周囲の位置で重なり合うようにしてもよい。シールの第一端部及び／または第二端部を引き裂くことができるようにして、過剰なシールを除去するようにしてもよい。
【００１４】
第一面と第二面が、ほぼ平坦であってもよい。第一面と第二面は、ストーマ周囲面に適合するような形状であってもよい。壁は、第一面及び第二面に対してほぼ垂直であってもよい。壁は、第一面と第二面に対して傾斜していてもよい。
【００１５】
シールは、例えば、異なるタイプのストーマの周囲に適合するように様々なサイズにすることができる。
【図面の簡単な説明】
【００１６】
本発明の実施例を添付図面を参照しながら、一例として説明する。
【図１】図１は、本発明によるシールの平面図である、
【図２】図２は、図１のシールの斜視図である。
【図３】図３は、図１と図２のシールをストーマとストーマ周囲面と共に示す斜視図である。
【図４】図４は、図１と図３シールをストーマ、ストーマ周囲面及びオストミー器具と共に示す斜視図である。
【発明を実施するための形態】
【００１７】
図を参照すると、シール１は、楕円形で、分割リング状の本体３を具える。当然のことながら、本発明の他の実施形態では、シールは、円形でもよく、あるいは外側が円形で内側が楕円形あるいは、外側が楕円形で内側が円形であってもよい。
【００１８】
本体３は、ストーマ周囲面に取り付ける第一面５と、オストミー器具に取り付ける第二面７と、第一面５から第二面７に延びる壁９を具える。壁９は、ほぼ楕円形の外壁面１１とストーマを受けるほぼ楕円形の開口部を画定する内壁面１３を具える。本体３は、さらに、スペースをあけて配置された第一端部１５と第二端部１７を具え、外壁面１１から内壁面１３に延びる開口を画定している。第一端部１５と第二端部１７は、それぞれ角の丸い平坦な端壁を具えており、この角において端壁が外壁面１１と内壁面１３に取り付けられている。当然のことながら、本発明の他の実施例においては、端壁が異なる形であってもよく、例えば、丸みのある端壁あるいは、ほぼ平坦な端壁でもあってもよい。
【００１９】
シール１は、単体で、柔軟性があり、粘着材から構成されており、柔軟性があり粘着性のハイドロコロイド材といった、適切な柔軟性がある、粘着性皮膚保護材であってもよい。第一面５と第二面７には、リリースライナーといった保護カバーを設けてもよい。シール１は、異なるタイプのストーマの周囲に適合するように様々なサイズで作られてもよい。この実施形態では、シール１は、厚さ約２．８ｍｍ、長径の長さが約８５ｍｍ、短径の長さが約６５ｍｍであり、開口部は、長径の長さが約４９ｍｍ、短径の長さが約３０ｍｍであり、第一端部と第二端部は約５ｍｍのスペースをあけて配置されている。
【００２０】
シール１を使用するのには、まずリリースライナーからシールをはがして手の中で少し温めてストレッチ性と成形性を高める。図３を参照すると、シール１は、ストーマ２１の周囲に配置されており、シール１の開口部内にストーマ２１を受けて第一面５がストーマ周囲の皮膚面２３上にのるようにする。シール１は、ストーマの周囲に密接に適合するように操作可能であり、特にシールは、必要に応じて、ストーマ２１とストーマ周囲面２３がほぼ一致するように、ストーマ２１の周囲とストーマ周囲面２３上に成形可能である。シール１の形状をほぼ楕円形にすることで、シール１がより簡単に操作できるようになり、ストーマ２１の形状に、より適合させることができる。シール１に設けられた開口によって、ユーザーは、シール１の本体の外周を拡大及び収縮することが可能となり、ストーマの周囲に、より良好に適合する。シール１の第一端部１５と第二端部１７は、好ましくは、ストーマ２１の周囲の排泄物が存在する可能性が最も高い位置、例えば皮膚のひだや割れ目がある位置で重なっている。次いで、シール１をストーマ周囲面２３に押しつけて面２３へのシール１の粘着性を高める。重なり合ったところに存在する過剰なシールは、一方の端あるいは両端１５、１７の一部を破って除去する。
【００２１】
図４を参照すると、次いでパウチ２５などのオストミー器具をシール１に取り付ける。パウチ２５は、バッグ２７とバッグに取り付けられているリングフランジ２９を具える。リングフランジ２９は、ストーマ２１の上に配置されており、シール１の第二面７とストーマ周囲面２３に接着されている。ストーマ２１からの排泄物は、バッグ２７に集められる。リングフランジ２９とストーマ２１との間に漏れた排泄物は、シール１に直面する。シール１は、ストーマ周囲面２３の皮膚とストーマ２１からの排泄物との間のバリアとして働く。シール１のハイドロコロイド材は、排泄物の湿気を吸収し、さらにはストーマ周囲皮膚面を保護する。
【００２２】
本発明のシールは、そのままで、オストミー器具と共に使用することがわかる。ストーマの周囲の皮膚とストーマからの排泄物の間にバリアを提供するのに皮膚バリアフランジ、シール、オストミー製品フランジの複雑な連結が不要である。単体で、柔軟性があり、粘着性物質でできており、分離した層を有しないシールを提供することによって、ユーザーが、より簡単にシールを操作して、シールをストーマ２１の周囲に密接に適合させることができるようになる。また、外側と内側が楕円形で、分割リング状のシールを提供することで、シールがストーマ、特に様々な形状とサイズのストーマの周囲に適合しやすくなることがわかっている。
【図１】
2015150434.tif 000003
【図２】
2015150434.tif 000004
【図３】
2015150434.tif 000005
【図４】
2015150434.tif 000006
【外国語明細書】
2015150434000001.pdf